【事件の表示】
　特願２０００−　６９０２５「光ディスク再生装置」拒絶査定不服審判事件〔平成１３年　１月２６日出願公開、特開２００１−　２３１９４〕について、次のとおり審決する。
【結　論】
　本件審判の請求は、成り立たない。
【理　由】
１．手続の経緯・本願発明
　本件審判の請求に係る特許出願（以下「本願」という。）は、平成12年３月13日（優先権主張　平成11年３月15日，平成11年５月６日）に出願されたものであって、平成17年７月22日付けで手続補正がなされ、平成18年３月９日付けで拒絶査定され、平成18年４月28日付けで拒絶査定不服審判が請求されたものである。
　本願の特許請求の範囲に記載された発明は、平成17年７月22日付け手続補正書の特許請求の範囲に記載された事項により特定されるものと認められるところ、請求項１に係る発明は次のとおりである。
　
　「【請求項１】
　光ディスクからの反射光を受けるフォトディテクタとレンズを介して前記光ディスクにレーザ光を照射するレーザ光源と前記レンズを移動させるフォーカス位置調整機構とを有するピックアップユニットを外部部品とし、前記フォトディテクタの受光量に対応する受光量の検出信号と焦点位置エラーについての位置エラーの検出信号とを発生し、前記受光量の検出信号のレベルに応じてフォーカスサーボコントローラが自動フォーカスループに切換えて前記位置エラーの検出信号に応じて前記位置エラーがなくなる方向に制御して前記光ディスクに対して前記レーザ光源からの前記レーザ光を自動的に焦点合わせするフォーカスサーボ機構を有する光ディスク再生装置において、
　前記光ディスクに対して前記レーザ光の焦点位置を前進あるいは後退させるための信号を発生する信号発生回路と、前記受光量の検出信号を受けてジャストフォーカス制御範囲に入ったか否かを検出するレベル検出回路と、前記受光量の検出信号の最大値を検出する最大値検出回路と、この最大値検出回路からの検出信号に応じてこのときの前記位置エラーの検出信号のレベルを保持するレベル保持回路とを備え、前記フォーカスサーボコントローラは、前記レベル検出回路の動作を停止させて前記信号発生回路を駆動して前記自動フォーカスループに切換えることなく前記最大値検出回路により前記最大値を検出させ、その後に前記レベル検出回路を動作させて前記信号発生回路を再び駆動して前記レベル検出回路の検出信号のレベルがジャストフォーカス制御範囲に入ったことに応じて前記自動フォーカス制御に切り替える制御をするものであり、前記自動フォーカス制御において前記レベル保持回路に保持された前記位置エラーの検出信号のレベルと現在の位置エラーの検出信号のレベルとが合成されて自動焦点合わせが行われることを特徴とする光ディスク再生装置。」（以下「本願発明」という。）
　
　
２．刊行物及びその記載
　原査定の拒絶の理由に引用された刊行物である特開平10−55546号公報（以下「刊行物１」という。）には、光ディスク制御装置に関して、以下の記載がある。（なお、下線は当審で付与した。）
　(i)「【０００２】
【従来の技術】
図１５は従来の光ディスク装置の全体構成を示すブロック図である。図において、１光ディスク（例えば多層膜ディスク）、２はディスクモータ、３はディスクモータサーボ回路、４は光ディスク１への書き込み／読み出し用レーザを発生するレーザダイオード、５は光ディスク１の照射光／反射光を集光する対物レンズ、６は光ディスク１に対して対物レンズ５をフォーカシング方向に駆動するフォーカシングアクチュエータ、７は光ディスク１に対して対物レンズ５をトラッキング方向に駆動するトラッキングアクチュエータ、８は対物レンズ５を通過した光ディスク１からの反射光を検出する光検出器、９はピックアップを送り移動するピックアップ送り機構、１０はレーザダイオード４により発生する照射光のパワーをコントロールするオートレーザパワーコントロール回路、１１はフォーカシングアクチュエータ６を介して対物レンズ５の光ディスク１に対するフォーカシングを制御するフォーカシングサーボ回路、１２はトラッキングアクチュエータ７を介して対物レンズ５の光ディスク１に対するトラッキングを制御するトラッキングサーボ回路、１３はピックアップ送り機構９を介してピックアップの送りを制御するピックアップ送りサーボ回路である。なお、ここでは、光ピックアップはレーザダイオード４、対物レンズ５、フォーカシングアクチュエータ６、トラッキングアクチュエータ７、光検出器８で構成されている
【０００３】ここで、フォーカシングサーボは、光ディスクの面振れに対し、対物レンズと光ディスク信号面との相対距離を一定に保ち、ディスク信号面がレーザのビームウェストの範囲、いわゆる焦点深度（約±１μｍ）内に位置するように対物レンズを制御する。
フォーカシングサーボは、ディスクからの反射光の状態からフォーカシング誤差信号を検出し、これにより対物レンズを駆動する。
１４０は４つのダイオードが４分割された光検出器であり、２組の対角線上の検出器からの検出電流は電流−電圧変換回路１４１にて電圧信号に変換された後、それぞれ減算回路１４２に入力されてフォーカシング誤差信号を発生する。
【０００４】図１７は従来のＦＯＫ信号を得る自動焦点検出回路の構成を示すブロック図とその動作波形である。最初に図１７のスイッチ１４４をａ側に接続しておき、
ピックアップＵＰ／ＤＯＷＮ信号を入力するとアクチュエータ１４６が駆動されて対物レンズが上下動する。対物レンズが合焦点位置を必ず通過するようにピックアップＵＰ／ＤＯＷＮ信号レベルを設定する。
【０００５】
【発明が解決しようとする課題】通常フォーカスサーチを行う場合、フォーカス引き込み時のフォーカスアクチュエータの動作は早く行われた方が良い。フォーカスサーチに時間がかかると、例えば、光ディスクをパソコンまたはプレーヤにローディングさせたとき、画像情報を得るまでの時間を余分に費やしてしまうことになる。また、光ディスクのキズや光ディスク装置の振動でフォーカス制御がはずれた場合に、フォーカス制御が復帰するまで情報が途切れてしまう恐れがある。従来からメモリに映像情報をプールしておく方式が用いられてきたが、これもまた、メモリの容量に限りがあるため、映像が途中で途切れてしまう問題点があった。そこでフォーカスサーチの時間を短縮することでローディングから再生までの時間を短縮し、また、キズや振動に影響されることなく安定にフォーカス制御を行う必要がある。この発明は、上記のような課題を解決するためになされたもので、フォーカスサーチの時間を短縮でき、確実で安定にフォーカス制御を行うことができる
光ディスク制御装置
　(ii)「【００１２】
【発明の実施の形態】
実施の形態１．図１は実施の形態１である光ディスク制御装置におけるフォーカス制御系の全体構成を示すブロック図である。図において、
１２０は光ディスク、１２１はディスクモータ、１２２は光ピックアップ、１２３はマトリクスアンプ、１２４，１２６，及び１２９はＡ／Ｄ変換器、１２５はオフセット調整部、１２７は位相補償部、１２８は切り換えスイッチ、１３０はフォーカス引き込み部、１３１はＤ／Ａ変換器、１３２はフォーカスアクチュエータドライバ、１３３はフォーカスアクチュエータ、１３４はディジタル演算部を示す。また、図２はフォーカス引き込み時におけるフォーカスアクチュエータのサーチ動作における動作波形を示す図である。ここで、図に示すように、フォーカスアクチュエータ１３３に印加されるランプ波形（サーチ信号波形）の傾きは複数の傾きを有しており、上記ランプ波形の傾きの変化が光ディスク１２０からの反射光量のレベルが所定の値を越えたタイミングにて行われる。なお、図において（ａ）はサーチ信号波形、（ｂ）は和信号波形、（ｃ）は差信号波形を示す。また、図３はフォーカス引き込み時の信号の流れをフローチャートである。
【００１３】図１の動作について説明すると、光ピックアップ１２２から得られるフォーカスエラー信号はマトリクスアンプ１２３を介して、Ａ／Ｄ変換器１２６と１２９に入力される。Ａ／Ｄ変換器１２６から出力されるフォーカスエラー信号は、Ａ／Ｄ変換器１２４及びオフセット調整部１２５を介した基準電圧Ｖｒｅｆと加算され、位相補償部１２７に入力される。この出力信号はフォーカス引き込み部１３０を介したフォーカスエラー信号のどちらかを切り換えスイッチ１２８で切り換えられて、Ｄ／Ａ変換器１３１に入力される。この信号がＶｒｅｆとともにアクチュエータドライバ１３２に入力されて、アクチュエータドライバ１３２からの出力信号がフォーカスアクチュエータ１３３を駆動させ、フォーカス制御を行う構成となっている。ここで、フォーカスサーチの引き込み時においては、フォーカスアクチュエータの駆動するスピードが低ければ低いほど引き込み易い実状がある。しかし、引き込み時のフォーカスアクチュエータの駆動するスピードが低ければサーチ信号波形の傾きが緩やかになり、ついてはフォーカスサーチの引き込み時間が長くなる問題点がある。逆に、フォーカスアクチュエータの駆動するスピードを高くすると引き込みにくく、何度もフォーカスサーチを行うこととなり、これもフォーカスサーチの引き込み時間が長くなる原因となる。
そこで図２（ａ）のサーチ信号波形のように、フォーカスサーチにおける引き込み時の前後だけ、サーチ信号波形の傾きを緩やかにする方法が考えられる。これは図２（ｂ）の和信号波形に所定のレベルを設定し、このレベルに達したときに図２（ａ）のサーチ信号波形の傾きを緩やかにする。ここでフォーカスの合焦点は図２（ｃ）の差信号にて判断することができる。この動作を図３において説明すると、まずサーチを開始し、和信号があるレベル以上あるかを検出する。さらに所定のレベル以上であれば、立ち上げ速度を低くすることでサーチ信号波形の傾きを緩やかにする。
　(iii)「【００１４】実施の形態２．図４は実施の形態２である光ディスク制御装置における通常のフォーカス制御系の演算器の内部構成のブロック図と通常のフォーカスサーチ時のサーチ波形を示したもので、
図５の（ａ）はサーチ信号波形、（ｂ）は差信号波形を示したものである。
図５はフォーカス引き込み時におけるフォーカスアクチュエータのサーチ動作において、上記フォーカスアクチュエータに印加されるランプ波形の傾きが複数の傾きを有するともに、上記ランプ波形の傾きの変化が前回のサーチ動作時における合焦点検出付近の印加電圧の少し手前にて行われるときのフォーカスサーチ時の信号波形を示したもので、図において（ａ）はサーチ信号波形、（ｂ）は差信号波形で合焦点を示すものである。
【００１５】次に図をもとに動作について説明する。まず、フォーカスエラー信号はＡ／Ｄ変換器１４に入力されて切り換えスイッチ１６を介して、ゲイン要素１７，１９，２１とディレイ要素１８，２０で構成されたフィルタに入力される。そして、このフィルタリングされた信号はゲイン要素２２を介し、さらにゲイン要素２３，２５，２７とディレー２４，２６で構成されたフィルタを介し、Ｄ／Ａ変換器２８に入力される。Ｄ／Ａ変換器２８からの出力信号はドライバ２９に入力され、フォーカスアクチュエータ３０を駆動させる。また、合焦点電圧はゲイン分の１要素１５に入力され、フォーカスループが閉じるまで切り換えスイッチ１６を介してゲイン要素１７，１９，２１とディレイ要素１８，２０で構成されたフィルタに入力される。ここで合焦点電圧の直流成分はゲイン分の１要素１５とゲイン要素２２を通ることによって結果的に同じゲインとなる。以上の構成から得られる通常のフォーカスサーチのサーチ信号波形は図４（ａ）のようになる。また、
図４（ｂ）は差信号波形で合焦点を示したもので通常のフォーカスサーチを行うことで合焦点時の電圧を得ることができる。また、図５について説明すると図４で示したように、まず、フォーカスサーチをわざと引き込ませないように早い（大きな）速度で行うことで合焦点の電圧を得ることができる。この合焦点の電圧を記憶し、図５（ａ）で示すように、再度フォーカスサーチを行うときに合焦点付近でサーチ信号波形の傾きを緩やかに変化させる。ここで仮にフォーカス制御がかからなかった場合は図５（ａ）に示すように急激にサーチ信号波形を下げる構成となっている。以上のように、１回目のフォーカスサーチ時においては、フォーカスサーチを引き込ませないように早い（大きな）速度で行い、このときの合焦点の電圧を記憶しておき、２回目のフォーカスサーチ時においては、記憶された合焦点付近でサーチ電圧の傾きを緩やかに変化させることにより、素早くかつ確実にフォーカスサーチを行うことができる。図６はフォーカス引き込み時の信号の流れをフローチャートで示したもので、１回目のフォーカスサーチ時においては比較的早い（大きな）速度で立ち上げと立ち下げを行い、合焦点時の電圧を記憶する。ここでフォーカスループは閉じない構成となっている。次にフォーカスサーチを開始し、合焦点付近で立ち上げ速度を低くする。この後、フォーカス制御がかかったかどうか判定し、フォーカス制御がかかっている場合は、フォーカス引き込みを終了し
　（iv）「【００２０】実施の形態５．
以上のように、常にフォーカスエラー信号が基準電圧Ｖｒｅｆ中心に得られるようにすることによって極めて引き込み動作が安定に行われるようになったが、必ずしも引き込んだ後のサーボオフセット量が最適化されているわけではない。これは、フォーカスセンサーのアンバランスや引き込み時のサーチ極性によって、引き込み時のオフセットと引き込み後のオフセットレベルが必ずしも一致しないからである。そこで以下には引き込み後のオフセット調整方法について示す。
光ディスク制御装置におけるフォーカス制御系の演算部の内部構成を示すブロック図で、和信号が最大になるようにオフセット調整を行うよう構成されている。
【００２１】図１０において動作を説明するとＡ／Ｄ変換器６６によって変換された基準電圧Ｖｒｅｆは、Ａ／Ｄ変換器６９によって変換されたフォーカスエラー信号との差をとってノイズフィルタ６７に入力される。この出力がレジスタ６８に記憶される。また、和信号はＡ／Ｄ変換器８３で変換され、ノイズフィルタ８４を介して、サンプル回路８６に入力される。さらに、モータＦＧ信号はＧＩＯに入力され、この出力はサンプル回路８６に入力される。ここで２つの信号が入力されたサンプル回路８６の出力は山登りアルゴリズム回路８７を介して、Ａ／Ｄ変換されたフォーカスエラー信号に加算される。この信号は上記レジスタ６８に記憶された信号とさらに加算され、この加算信号はゲイン要素７０，７２，７４とディレイ要素７１，７３で構成されたディジタルフィルタを介して、ゲイン要素７５，７７，７９とディレイ要素７６，７８で構成されたディジタルに入力される。そして、この出力はＤ／Ａ変換器８０を介して、ドライバ８１に入力され、フォーカスアクチュエータ８２を駆動させる構成となっている。一連の動作を図１１のフローチャートに基づいて説明する。まず、フォーカス引き込み動作が完了すると、トラック引き込み動作を完了させる。次に、和信号レベルをディスク１周期内の特定の位置（角度）で計測し、フォーカスオフセットを＋方向にずらす。この＋方向にずらしたことで和信号レベルが増えたかどうかを判定する。和信号レベルが増えている場合は、再度フォーカスオフセットを＋方向にずらすようにする。和信号レベルが増えていない場合は、フォーカスオフセットを−方向にずらし、和信号レベルが増えている場合は、再度、フォーカスオフセットを−方向にずらし、和信号レベルが増えていない場合は、オフセット値を１つ前の状態にして保持するようにして、
和信号が最大となる位置を検出し、オフセット調整を完了させる構成となっている。
フォーカスエラー信号がＶｒｅｆ中心得られたとしても、必ずしも合焦点の最良点とは限らないからである。例えば、光ピックアップのセンサの取付位置がずれていたり、ディスクにチルトが存在し、傾いている場合など光学的にずれが生じるため、フォーカスエラー信号のＶｒｅｆ中心でかけても、その位置が合焦点とは限らない。
和信号（反射光量）である再生信号振幅が最大になるようにオフセットを調整することで近似的に最短ピット長の再生信号振幅も最大となっていると見なすことで合焦点の最良点を見つけ出す
　
　上記摘示事項を、図面とともに総合整理すると、刊行物１には以下の発明が記載されているものと認める。
　「光ディスク１２０、ディスクモータ１２１、光ピックアップ１２２、マトリクスアンプ１２３、Ａ／Ｄ変換器１２４，１２６，１２９、オフセット調整部１２５、位相補償部１２７、切り換えスイッチ１２８、フォーカス引き込み部１３０、Ｄ／Ａ変換器１３１、フォーカスアクチュエータドライバ１３２、フォーカスアクチュエータ１３３、ディジタル演算部１３４からなるフォーカスサーチを行う光ディスク装置において、
　１回目のフォーカスサーチ時においては、フォーカスサーチを引き込ませないように早い（大きな）速度で行い、このときの合焦点の電圧を記憶しておき、２回目のフォーカスサーチ時においては、記憶された合焦点付近でサーチ電圧の傾きを緩やかに変化させることにより、素早くかつ確実にフォーカスサーチを行うもので、１回目のフォーカスサーチ時においては比較的早い（大きな）速度で立ち上げと立ち下げを行い、合焦点時の電圧を記憶し、ここでフォーカスループは閉じない構成として、次にフォーカスサーチを開始し、合焦点付近で立ち上げ速度を低くしてフォーカス引き込み動作を終了する光ディスク装置。」（なお、記号は図面との対応で付した。以下「刊行物１発明」という。）
　
　原査定の拒絶の理由で引用された刊行物である特開平２−192029号公報（以下「刊行物２」という。）には光ヘッドに関して、以下の記載がある。
　(v)「第１４図に示すように、トラッキング制御するべき目標位置Pがトラック中心すなわち再生出力信号の最も大きい点Pｏと一致せずにオフセットずれδを生じ、再生特性が劣化するという問題点があった。一方、
フォーカシング系についても上記と同じ原因によって、フォーカシング制御するべき目標位置にオフセットずれを生じ、再生特性が劣化するという同様の問題点があった。
　(vi)「［発明の実施例］
・・・（中略）・・・、
第１図（b）の合焦点位置にある場合に再生出力信号は最大であり、この位置でフォーカス検出信号はゼロとなるように調整される。焦点ずれを生じると、再生出力信号は低下する。
　
このような関係から、フォーカス検出信号と再主出力信号のずれを検出するため、対物レンズ（6）の初期引込み時の動作を利用する。対物レンズ（6）は電源が投入され動作を開始する時点では、ディスク（15）に対する位置がわからないので、第３図に示すような引込み動作を行なう。すなわち、対物レンズ（6）を駆動するアクチュエータ（図示せず）に三角波入力を加え、対物レンズ（6）を上下に動作させることにより、ディスク（15）の位置を検知する。
　この動作のときに第４図に示すように、三角波＋ＡＣ成分（たとえば３０Hz）で対物レンズ（6）を駆動すると同時に、再生出力信号およびフォーカス検出信号をモニタする。すなわち、対物レンズ（6）の移動による出力信号のレベル変化と位相から、フォーカス検出信号のゼロ点と再生出力信号の最大点のずれ量と方向とが検知できる。
　これをもう少し詳細に説明すると、光スポットをＡＣ的に微少変位させながらディスク面を通過させると、第４図の再生出力信号最大点では上記微少変位の２倍の周波数、またこの最大点からどちらかにずれた場合は上記微少変位周波数と同一周波数であるが、第４図中〔Ａ〕領域と〔Ｂ〕領域とでは、位相が１８０°異なり、そのずれ量に応じて振幅の異なる出力が得られる。この出力と上記光スポットを駆動するＡＣ出力を位相検波することにより、
再生出力信号の最大点を検知することができる。この再生出力信号の最大点とフォーカス検出信号のゼロ点とのずれを検知することにより、センサオフセットが検知できる
　次に、光スポットと光検知器の相対位置補正手段について述べる。第５図はこの補正機構の一例を示しており、光検知器プレート（23）の中央部に形成された凹所（23a）の−側に光検知器部（24）が積層型の圧電素子（40）を介して保持されている。圧電素子（40）は電圧の印加によって積層方向に伸縮するから、上述したセンサオフセット量に応じた電圧値で圧電素子（40）を駆動し、光検知器部（24）の位置を第５図の左右方向に変位させて受光素子（24a）〜（24d）の位置関係を適正化することにより、オフセットの補正ができる。」（３頁右下欄10行〜４頁右上欄20行）
　
　
３．対比・判断
　〔対比〕
　a．刊行物１発明の「光ディスク１２０、ディスクモータ１２１、光ピックアップ１２２、マトリクスアンプ１２３、Ａ／Ｄ変換器１２４，１２６，１２９、オフセット調整部１２５、位相補償部１２７、切り換えスイッチ１２８、はフォーカス引き込み部１３０、Ｄ／Ａ変換器１３１、フォーカスアクチュエータドライバ１３２、フォーカスアクチュエータ１３３、ディジタル演算部１３４であるフォーカスサーチを行う光ディスク装置」であるが、上記「光ディスク１２０」は本願発明の「光ディスク」に相当し、上記「光ディスク装置」は、再生装置か記録再生装置のいずれであることを踏まえると本願発明の「光ディスク再生装置」と共通する。
　また、上記「光ピックアップ１２２」は、上記２．(i)で従来例として記載する光ディスク装置の全体構成と特段相違するものでないから、具体的には【図１５】から“レーザダイオード４、対物レンズ５、フォーカシングアクチュエータ６、光検出器８”を備えているもので、これは本願発明の「ピックアップユニット」に相当し、「レンズを介して前記光ディスクにレーザ光を照射するレーザ光源」「レンズを移動させるフォーカス位置調整機構」及び「反射光を受けるフォトディテクタ」を備えている点でも共通する。
　また、上記「フォーカスアクチュエータドライバ１３２、フォーカスアクチュエータ１３３、ディジタル演算部１３４からなるフォーカスサーチを行う」及び、刊行物１発明の「フォーカス引き込み動作」等のフォーカスサーチないしフォーカス引き込み動作は、光ディスクに通常的に備わっているもので、光ディスクからの反射光を検出する検出器の受光量に対応してフォーカス合わせである位置エラーの検出信号を発生して位置エラーがなくなる方向に制御していくフォーカスコントローラの手段であることに他ならないし、検出器では全受光量を検出していることも自明であるから、これは本願発明の「フォトディテクタの受光量に対応する受光量の検出信号と焦点位置エラーについての位置エラーの検出信号とを発生」及び「位置エラーがなくなる方向に制御して前記光ディスクに対してレーザ光源からのレーザ光を自動的に焦点合わせするフォーカスサーボ機構」に相当する。
　
　b．刊行物１発明の「１回目のフォーカスサーチ時においては、フォーカスサーチを引き込ませないように早い（大きな）速度で行い、このときの合焦点の電圧を記憶しておき、２回目のフォーカスサーチ時においては、記憶された合焦点付近でサーチ電圧の傾きを緩やかに変化させることにより、素早くかつ確実にフォーカスサーチを行うもので、１回目のフォーカスサーチ時においては比較的早い（大きな）速度で立ち上げと立ち下げを行い、合焦点時の電圧を記憶し、ここでフォーカスループは閉じない構成として、次にフォーカスサーチを開始し、合焦点付近で立ち上げ速度を低くしてフォーカス引き込み動作を終了する」であるが、上記の「１回目のフォーカスサーチ時」で「フォーカスサーチを引き込ませないように早い（大きな）速度で行い」において、早い（大きな）速度でサーチ動作する手段は、“
図５はフォーカス引き込み時におけるフォーカスアクチュエータのサーチ動作において、上記フォーカスアクチュエータに印加されるランプ波形の傾きが複数の傾きを有するともに、上記ランプ波形の傾きの変化が前回のサーチ動作時における合焦点検出付近の印加電圧の少し手前にて行われるときのフォーカスサーチ時の信号波形を示したもので、図において（ａ）はサーチ信号波形
　
　c．刊行物１発明の「合焦点の電圧を記憶しておき２回目のフォーカスサーチ時においては、記憶された合焦点付近でサーチ電圧の傾きを緩やかに変化させることにより、素早くかつ確実にフォーカスサーチを行う」との「合焦点の電圧を記憶」の電圧とは、光ディスクから反射した受光量を検出器で検出しているものであり、そして、１回目のフォーカスサーチではフォーカスサーチを引き込ませないで前進あるいは後退させることで光ディスクからの光反射光量の変化をみておき、次に「合焦点付近でサーチ電圧の傾きを緩やかに変化させる」のであるから、１回目のフォーカスサーチを引き込ませないでの前進あるいは後退はやみくもに変化させるのでなく、２回目での変化させるタイミングをジャストフォーカスサーチ制御範囲に入ったか否かのレベルを検出して変化させていることは明らかで、これは本願発明の「前記受光量の検出信号を受けてジャストフォーカス制御範囲に入ったか否かを検出するレベル検出回路」を実質的に有している点で共通する。
　
　d．さらに、刊行物１発明の「１回目のフォーカスサーチ時」と「２回目のフォーカスサーチ時」の経時的事項であるが、「１回目のフォーカスサーチ時においては比較的早い（大きな）速度で立ち上げと立ち下げを行い、合焦点時の電圧を記憶し、ここでフォーカスループは閉じない構成として、次にフォーカスサーチを開始」及び「フォーカス引き込み動作を終了する」としており、１回目の駆動は合焦範囲であるか否かを探る意味で検出をしており、フォーカスループは閉じない構成であるから、フォーカス制御はオープン状態で自動フォーカスループ状態になく、２回目の駆動は、１回目の駆動での合焦点の電圧情報、受光量に対応する受光量の検出信号を用いてフォーカス引きみ動作を終了してフォーカスサーチ状態に入るので、１回目と２回目での駆動でフォーカス制御に移行する切換をしている。これは本願発明の「前記受光量の検出信号のレベルに応じてフォーカスサーボコントローラが自動フォーカスループに切換えて前記位置エラーの検出信号に応じて」及び「前記フォーカスサーボコントローラは、前記レベル検出回路の動作を停止させて前記信号発生回路を駆動して前記自動フォーカスループに切換えることなく検出回路により検出させ、その後に前記レベル検出回路を動作させて前記信号発生回路を再び駆動して前記レベル検出回路の検出信号のレベルがジャストフォーカス制御範囲に入ったことに応じて前記自動フォーカス制御に切り替える制御」の機能を有している点で共通する。　
  　
　したがって、本願発明と刊行物１発明との〔一致点〕及び〔相違点〕は以下のとおりである。
　〔一致点〕　
　「光ディスクからの反射光を受けるフォトディテクタとレンズを介して前記光ディスクにレーザ光を照射するレーザ光源と前記レンズを移動させるフォーカス位置調整機構とを有するピックアップユニットとし、前記フォトディテクタの受光量に対応する受光量の検出信号と焦点位置エラーについての位置エラーの検出信号とを発生し、前記受光量の検出信号のレベルに応じてフォーカスサーボコントローラが自動フォーカスループに切換えて前記位置エラーの検出信号に応じて前記位置エラーがなくなる方向に制御して前記光ディスクに対して前記レーザ光源からの前記レーザ光を自動的に焦点合わせするフォーカスサーボ機構を有する光ディスク再生装置において、
　前記光ディスクに対して前記レーザ光の焦点位置を前進あるいは後退させるための信号を発生する信号発生回路と、前記受光量の検出信号を受けてジャストフォーカス制御範囲に入ったか否かを検出するレベル検出回路と、を備え、前記フォーカスサーボコントローラは、前記レベル検出回路の動作を停止させて前記信号発生回路を駆動して前記自動フォーカスループに切換えることなく検出回路により検出させ、その後に前記レベル検出回路を動作させて前記信号発生回路を再び駆動して前記レベル検出回路の検出信号のレベルがジャストフォーカス制御範囲に入ったことに応じて前記自動フォーカス制御に切り替える制御をする光ディスク再生装置。」の点。
　
　〔相違点〕
　イ．本願発明はピックアップユニットを「外部部品」としているが、刊行物１発明においては言及していない点。
　
　ロ．本願発明は「前記受光量の検出信号の最大値を検出する最大値検出回路と、この最大値検出回路からの検出信号に応じてこのときの前記位置エラーの検出信号のレベルを保持するレベル保持回路と」を備えるものであるが、刊行物１発明においては上記の「受光量の検出信号の最大値を検出する最大値検出回路」と、この最大値での「位置エラーの検出信号のレベルを保持するレベル保持回路」について言及していない点。
　
　ハ．本願発明は「前記自動フォーカス制御において前記レベル保持回路に保持された前記位置エラーの検出信号のレベルと現在の位置エラーの検出信号のレベルとが合成されて自動焦点合わせが行われる」構成であるが、刊行物１発明においてはこの構成について言及していない点。
　
　〔判断〕
　相違点イ．について
　刊行物１には従来構成において「光検出器」「対物レンズ」「レーザダイオード」「フォーカシングアクチュエータ」等からなるピックアップの構成の記載があり、刊行物１発明も当然に有している部品（上記〔対比〕ａ．）であり、これを「外部部品」と呼称することは当業者が適宜成し得るものである。
　
　相違点ロ．ハ．について　
　レベル検出回路時の場合も含めて、本願発明の「フォトディテクタの受光量」は、上記〔対比〕では、刊行物１発明においてフォトディテクタの受光量としては相違しないフォーカス信号の光検出器からの検出量で対比した。しかしながら、上記相違点ロ．の「受光量の検出信号の最大値を検出する」との記載から、本願発明は光検出器の和信号（ＲＦ信号）でその最大値をみると理解される。そうであるとしても、刊行物１においての実施の形態１．には「
そこで図２（ａ）のサーチ信号波形のように、フォーカスサーチにおける引き込み時の前後だけ、サーチ信号波形の傾きを緩やかにする方法が考えられる。これは図２（ｂ）の和信号波形に所定のレベルを設定し、このレベルに達したときに図２（ａ）のサーチ信号波形の傾きを緩やかにする。ここでフォーカスの合焦点は図２（ｃ）の差信号にて判断することができる。
　また、フォーカスサーボのオフセットの調整であるが、刊行物１においての実施の形態５には「
フォーカスセンサーのアンバランスや引き込み時のサーチ極性によって、引き込み時のオフセットと引き込み後のオフセットレベルが必ずしも一致しないからである。そこで以下には引き込み後のオフセット調整方法について示す。
光ディスク制御装置におけるフォーカス制御系の演算部の内部構成を示すブロック図で、和信号が最大になるようにオフセット調整を行うよう構成されている。
和信号が最大となる位置を検出し、オフセット調整を完了させる構成となっている。
フォーカスエラー信号がＶｒｅｆ中心得られたとしても、必ずしも合焦点の最良点とは限らないからである。例えば、光ピックアップのセンサの取付位置がずれていたり、ディスクにチルトが存在し、傾いている場合など光学的にずれが生じるため、フォーカスエラー信号のＶｒｅｆ中心でかけても、その位置が合焦点とは限らない。
和信号（反射光量）である再生信号振幅が最大になるようにオフセットを調整することで近似的に最短ピット長の再生信号振幅も最大となっていると見なすことで合焦点の最良点を見つけ出す
　
　そして、上記各相違点についての判断を総合しても本願発明の奏する効果は刊行物１発明及び刊行物２乃至周知技術から当業者が十分に予測可能なものであって格別なものといえない。
　
　−補足−
　審判請求人は請求理由で
「しかし、前記した備考の内容には、本願発明の特徴である
「毎回、オフセット値を更新していく」という事実に対する判断を遺漏し、さらに意見書で述べた「レベル検出回路の動作を切換えに応じて停止させ、動作させる構成についての判断をしていない違法性があります
「これは、
毎回、オフセット値を更新していく技術ではありません。
　通常、フォーカス引込み方式は、
新しいディスクを挿入した時点あるいは定期的に行われるのが普通であり、ディスクの途中で制御するときなど、ディスクの挿入とは関係なしにフォーカス制御が必要なときに、毎回、オフセット値を更新していくもの
「しかも、この点も本願発明の作用効果に係わる構成であります。平成17年 7月22日に提出した意見書では、前記の「レベル検出回路の動作を自動フォーカスループに切換えに応じて停止させ、動作させる」の後に、『なお、このような作用効果は、本願明細書の［００１６］項の「…前記２つの例の場合には、位置エラー検出信号ＦＥに基づくオフセット量の記憶あるいは平均値算出が自動フォーカシングサーボ状態でないときに行われる。これにより、外乱ノイズの影響はなく、また外乱発振器も不要である。その結果、外乱注入することなくより簡単な回路でフォーカシングができ、S/N比を向上させることができ、しかも外部ピックアップ部品等を交換したときに再調整が不要になる。」と記載されていることから明かであります。』の記載があります。 
 　
本願発明は、レベル検出回路の動作を停止するが故に、自動フォーカスループに入ることがなくなり、最大値の検出あるいは位置エラー検出信号の最大ピーク値と最小ピーク値を検出することが可能になるのであります。しかも、このレベル検出回路は、「毎回、オフセット値を更新していく」ことに関係しています。
 　引用例１〜５には、レベル検出回路がありません。意見書において、レベル検出回路がない点について主張しているのに、この点の判断がなされていない審査官の今回の拒絶査定は違法であると考えます。 
 　なお、レベル検出回路は、本願明細書の［０００６］項および特許請求の範囲に記載されていますように、ＲＦ信号のレベルによりジャストフォーカス制御範囲にはいったか否かを検出するものであり、本願発明は、ダイナミックなオフセット値の更新制御によりピックアップユニットの環境変化に対するフォーカス不良が防止されるとともに、外部部品のピックアップユニットが交換されたときにも再調整しないで済むという格別な作用効果があります。」
　等、縷々主張しているが、上記下線部構成である『
毎回
新しいディスクを挿入した時点あるいは定期的に行われるのが普通であり、ディスクの途中で制御するときなど、ディスクの挿入とは関係なしにフォーカス制御が必要なときに、毎回、オフセット値を更新していくもの
　また、請求項１に係る発明は「光ディスク再生装置」と物の構成であるが、「前進あるいは後退させ」「自動フォーカスループに切換えることなく」「その後」「再び駆動して」及び「応じて前記自動フォーカス制御に切換える制御」等の記載内容は経時事項を伴う方法の要件を必須としており、物の構成として理解していくには記載不備が散見される。
　
　
４．むすび
　以上のとおりであって、本願発明は刊行物１及び刊行物２に記載された発明乃至周知技術に基づき当業者が容易に発明をすることができたものであるから、特許法第29条第２項の規定により特許を受けることができない。
　したがって、本願は、その余の請求項に論及するまでもなく拒絶すべきものである。
　　
　よって、結論のとおり審決する。